(57)【要約】【課題】マイクを最適な音量で会話可能な位置に調整でき、安価で携行性に優れたイヤホンマイクを提供する。【解決手段】イヤホンとマイクを接続する一定の長さのリード線をリブ（突起物）やリード線固定用の部品に固定することにより、イヤホン装着時、マイクを音声認識が最適な位置に調整することができる。【選択図】図２
2007143033.tif 000002
【特許請求の範囲】
【請求項１】
イヤホンスピーカ部と、該イヤホンスピーカ部を収納するイヤホンケースとから構成され、電気信号を音に変換して出力するイヤホンと、
マイク本体と、該マイク本体を収納するマイクケースとから構成され、音声入力を電気信号に変換するマイクと、
該マイクと前記イヤホンとを接続するリード線とを有し、
前記リード線の長さを調節してマイクの位置調節を行うリード線調節機構を設けたことを特徴とするイヤホンマイク。
【請求項２】
前記リード線調節機構は、前記イヤホンケース又は前記マイクケースの外側面に設けられたリード線を挟持する１対以上の固定用リブから成ることを特徴とする請求項１に記載のイヤホンマイク。
【請求項３】
前記リード線調節機構は、前記イヤホンケースに設けられたリード線挿入穴及びリード線引き出し穴と、前記イヤホンケース内部の前記リード線挿入穴と前記リード線引き出し穴との間に設けられたリード線を挟持する１対以上の固定用リブとから成ることを特徴とする請求項１に記載のイヤホンマイク。
【請求項４】
前記イヤホンケース外部の前記リード線引き出し穴と前記リード線をイヤホンスピーカ部に接続するためのリード線接続穴との間にリブを設けたことを特徴とする請求項３のイヤホンマイク。
【請求項５】
前記リード線調節機構は、前記マイクケースの周辺に設けられたリード線巻き付け用の溝から成ることを特徴とする請求項１に記載のイヤホンマイク。
【請求項６】
前記リード線調節機構は、前記マイクケースに設けられたリード線挿入穴及びリード線引き出し穴と前記マイクケース内部の前記リード線挿入穴と前記リード線引き出し穴との間に設けられたリード線を挟持する１対以上の固定用リブとから成ることを特徴とする請求項１に記載のイヤホンマイク。
【請求項７】
前記マイクケース外部の前記リード線引き出し穴と前記リード線をマイク本体に接続するためのリード線接続穴の間にリブを設けたことを特徴とする請求項６に記載のイヤホンマイク。
【請求項８】
前記リード線調節機構は、前記リード線の所定箇所に付設され前記リード線の他の部分を保持するリード線保持部品であることを特徴とする請求項１に記載のイヤホンマイク。
【請求項９】
前記リード線保持部品は、前記リード線を固定する溝を有し、前記リード線と一体成型されることを特徴とする請求項８に記載のイヤホンマイク。
【請求項１０】
前記リード線保持部品は、前記リード線を固定する溝を有し、前記リード線の任意のポイントに取り付け可能であることを特徴とする請求項８に記載のイヤホンマイク。
【請求項１１】
２つの前記イヤホンと２本の前記リード線を備え、前記リード線調節機構は、前記２本のリード線のうち短い方のリード線の調節に用いられることを特徴とする請求項１〜請求項１０のいずれかに記載のイヤホンマイク。
【発明の詳細な説明】
【技術分野】
【０００１】
本発明は、出力される電気信号を音に変換して出力するイヤホンと、音声入力を電気信号に変換するマイクをリード線にて接続しているイヤホンマイクの技術分野に属するものである。
【背景技術】
【０００２】
図１は、従来のイヤホンマイクの構成を示す側面図である。図１に示すように、イヤホンマイク８は、イヤホンスピーカ部３と該イヤホンスピーカ部３を収納するイヤホンケース２とから構成されるイヤホン１と、マイク本体７と該マイク本体７を収納するマイクケース６とから構成されるマイク５と、イヤホン１とマイク５を接続するリード線４で構成されている。
【０００３】
イヤホンとマイクとをリード線のみで接続している図１のようなイヤホンマイクにおいては、イヤホン装着時、マイクの位置を調節する機能を有さず、イヤホンとマイクを接続するリード線の長さでマイクの位置が決まっていた。
【０００４】
そのため、従来のイヤホンとマイクがリード線のみで接続されたイヤホンマイクにおいて、リード線の長さが一定であることから、耳と口の距離が個々のユーザーによって異なり、イヤホンを耳穴に装着した際、口元とマイクの距離が近すぎたり、遠すぎたりする場合がある。このとき使用状況によっては、マイクを手で口元に近づけたり、声量を調整して話す必要があり、自動車の運転中等、ハンズフリーの機能が十分に発揮されないという問題があった。
【０００５】
イヤホン装着時、マイクの位置調節が可能な従来のイヤホンマイクとして、イヤホンとマイクを変形可能な硬性を有するアームで接続し、アームを変形保持することにより、マイクの位置調整を行うもの（特許文献１参照）や、イヤホンとマイクが別接続部品にて接続され、この接続部品の位置、長さの調節により、マイクの位置調整を行うもの（特許文献２参照）があった。また、マイクとイヤホンジャックを接続するイヤホンマイクコードを首に掛けることにより前記イヤホンマイクコードの長さを調節する位置制御装置（特許文献３参照）が提案されていた。
【特許文献１】特開平６−１４９０１号公報
【特許文献２】実用新案第３０７７１４２号
【特許文献３】実用新案第３１０６８８３号
【発明の開示】
【発明が解決しようとする課題】
【０００６】
しかしながら、前記特許文献１のイヤホンマイクでは、口許にマイクを固定できるが、携行性、デザイン性に課題があり、前記特許文献２のイヤホンマイクでは、接続部品の構造が大きいため、商品自体が高価になり、携行性、収納性に課題があった。また、特許文献３の方法は、使用時の安定性の向上や見た目を良くすることを目的とするものであり、コードの長さ調節によりマイクの最適な音声認識を目的とするものではなかった。
【課題を解決するための手段】
【０００７】
上記課題を解決するために、本発明のイヤホンマイクは、イヤホンを耳穴に装着時、イヤホンとリード線で接続されたマイクは耳穴から下に垂れ下がるが、リード線の長さを調節するため、予め、イヤホンとマイクを接続するリード線の長さを、平均的な人間の口と耳の距離より長くし、リード線の長さを調節するリード線調節機構を設けたことを特徴とする。
【０００８】
また、本発明のイヤホンマイクは、イヤホンケース又はマイクケース外側面にリード線を挟持する１対以上の固定用リブを設けていることを特徴とする。
【０００９】
この構成では、前記リード線をイヤホンケース又はマイクケースのリブに固定することで、リード線の長さを調整でき、口元から最適な距離にマイクの位置を調整することが可能となる。
【００１０】
また、前記リブを２対、３対と増設することにより、前記リード線は前記１対のリブより安定して固定することができ、リード線の長さの微調整が容易になる。
【００１１】
また、本発明のイヤホンマイクは、前記イヤホンケースにリード線引き出し穴と、引き出したリード線をイヤホンスピーカ部と接続するためのリード線接続穴、及びマイクとイヤホンを接続するリード線が挿入されるリード線挿入穴と前記リード線引き出し穴との間にリード線を挟持する１対以上の固定用リブを前記イヤホンケース内部に設けていることを特徴とする。
【００１２】
この構成によると、前記リード線引き出し穴よりリード線を引き出すことにより、マイクの位置を近づけ、前記リード線挿入穴よりリード線を引き出すことにより、マイクの位置を遠ざけることができる。
【００１３】
また、本発明のイヤホンマイクは、前記リード線引き出し穴と前記リード線接続穴との間にリブを、イヤホンケース外側に設けていることを特徴とする。
【００１４】
この構成によると、リード線が前記リブ上で重なり隆起し、リード線の長さ調節の際、リード線を指で掴み易くなる。
【００１５】
また、本発明のイヤホンマイクは、マイクケースの周囲にリード線巻き付け用の溝を設けていることを特徴とする。
【００１６】
この構成によると、前記リード線をマイクの溝に収め、固定することで、リード線の長さ調整が可能となる。
【００１７】
また、本発明のイヤホンマイクは、前記マイクケースにリード線引き出し穴と引き出したリード線をマイク本体に接続するためのリード線接続穴、及びマイクとイヤホンを接続するリード線が挿入されるリード線挿入穴と前記リード線引き出し穴の間にリード線を挟持する１対以上の固定用リブを前記マイクケース内部に設けていることを特徴とする。
【００１８】
この構成によると、前記マイクケース上の前記リード線引き出し穴よりリード線を引き出すことにより、マイクの位置を近づけ、前記リード線挿入穴よりリード線を引き出すことにより、マイクの位置を遠ざけることができる。
【００１９】
また、本発明のイヤホンマイクは、前記リード線引き出し穴と前記リード線接続穴との間にリブを、マイクケース外側に設けていることを特徴とする。
【００２０】
この構成によると、リード線が前記リブ上で重なり隆起し、リード線の長さ調節の際、リード線を指で掴み易くなる。
【００２１】
また、本発明のイヤホンマイクは、前記リード線の所定箇所に前記リード線の他の部分を保持するリード線保持部品を付設したことを特徴とする。
【００２２】
この構成によると、前記リード線を必要に応じリード線固定用部品に保持させることで、リード線の長さ調整が可能となる。
【００２３】
また、本発明のイヤホンマイクは、前記リード線固定用部品が前記リード線を固定する溝を有し、前記リード線と一体成型されることを特徴とする。
【００２４】
この構成によると、前記リード線を必要に応じリード線固定用部品に保持させることで、リード線の長さ調整が可能となる。またリード線と一体成型されていることにより、前記リード線固定用部品が前記リード線から外れ紛失するという課題も解消する。
【００２５】
また、本発明のイヤホンマイクは、前記リード線固定用部品がリード線を固定する溝を有し、前記リード線の任意のポイントに取り付け可能であることを特徴とする。
【００２６】
この構成によると、前記リード線を必要に応じリード線固定用部品に保持させることで、リード線の長さ調整が可能となる。また、リード線と取り外し可能なことにより、リード線によりイヤホンとマイクが接続された既存のイヤホンマイクに前記リード線固定用部品を保持させることのみで、マイクの位置調節が可能になる。
【００２７】
また、本発明のイヤホンマイクは、２つのイヤホンと２本のリード線を備えるステレオタイプのイヤホンマイクにおいて、前記２本のリード線のうち、短いほうのリード線の長さを前期実施形態のいずれかにより、マイクの位置を調節することを特徴とする。
【００２８】
この構成によると、ステレオタイプのイヤホンにおいても、リード線の長さを調節することで、マイクの位置調節を行うことが可能となる。
【発明の効果】
【００２９】
以上説明したように本発明に係るイヤホンマイクを使用することにより、耳穴の装着したイヤホンとマイクの位置を個々のユーザーに合った適切な距離に調節することによりマイクへの音声入力を適切に行うことが可能となる。
【００３０】
また、構造上、軽量で小型なため、携行性に優れ、携帯電話の歩行中の通話等、様々な使用状況において好適なイヤホンマイクを提供することが可能である。
【００３１】
また、イヤホンとマイクとそれらを接続するリード線のみからなるイヤホンマイクにて実施可能なことから安価の商品を提供することが可能である。
【発明を実施するための最良の形態】
【００３２】
以下、本発明の実施の形態を図面に基づいて説明する。従来例の図１と共通する部分には同一の符号を付して説明を省略する。図２（ａ）は、本発明の第１実施形態のイヤホンマイクの側面図であり、イヤホンケース２外側面にリード線固定用のリブ９を向い合わせに１対設けることでイヤホン１とマイク５とを接続しているリード線４の固定を可能としている。
【００３３】
図２（ｂ）、図２（ｃ）、図２（ｄ）はリード線４を固定する長さを調整することで、それぞれイヤホン１とマイク５との位置（距離）を少し、中程度、大きく調整したときの図である。
【００３４】
図３（a）は、本発明の第１実施形態のイヤホンマイクの側面図であり、イヤホンケース２外側面にリード線固定用のリブ９を向い合わせに２対、３対と設けることでイヤホンと接続しているリード線４の確実な固定とマイク位置（距離）の微調整を可能としている。なお、リブ９の配置は図の位置に限定されない。
【００３５】
図３（ｂ）、図３（ｃ）、図３（ｄ）は、リード線をそれぞれリブの１対目、リブの１対目と２対目、リブの１対目、２対目と３対目に固定し、イヤホン１とマイク５との位置（距離）を少し、中程度、大きく調整したときの図である。
【００３６】
図４（ａ）は、本発明の第１実施形態のイヤホンマイクの側面図であり、マイクケース６外側面にリード線固定用のリブ１５を１対設けることでリード線４の固定を可能としている。
【００３７】
図４（ｂ）、図４（ｃ）、図４（ｄ）は、リード線４を固定する長さを調整することで、それぞれイヤホン１とマイク５との位置（距離）を少し、中程度、大きく調整した時の図である。
【００３８】
図５（ａ）は、本発明の第１実施形態のイヤホンマイクの側面図であり、マイク５にリード線固定用のリブ１５を２対、３対と設けることでイヤホン１とマイク５とリード線４の確実な固定とマイク位置（距離）の微調整ができるようにしている。なお、リブ１５はマイク本体７のマイク孔を塞がないよう配置されれば、図の位置に限定されない。
【００３９】
図５（ｂ）、図５（ｃ）、図５（ｄ）は、リード線４をそれぞれリブ１５の１対目、リブ１５の１対目と２対目、リブ１５の１対目、２対目と３対目に固定し、イヤホン１とマイク５との位置（距離）を少し、中程度、大きく調整した時の図である。
【００４０】
図６（ａ）は、本発明の第２実施形態のイヤホンマイクの側面図であり、イヤホンケース２内部にリード線を挟持する１対のリブ１０を設け、前記イヤホンケース内部をリード線が移動できるようイヤホンケース２にリード線引き出し穴１１と、引き出したリード線とイヤホンスピーカ部を接続するリード線接続穴１２を設けている。イヤホンとマイクの位置（距離）の微調整は、リード線引き出し穴１１からリード線を引き出すことでマイクの位置を近くし、イヤホンのマイク側のリード線４を引っ張ることでマイクの位置を遠くして行うことができる。なお前記リード線引き出し穴１１、前記リード線接続穴は図の位置に限定されず、リード線リブ１０も、前記リード線引き出し穴１１と、イヤホンとマイクを接続するリード線が挿入されるリード線挿入穴２３の間に設ければ、図の位置に限定されない。
【００４１】
図６（ｂ）、図６（ｃ）は、リード線引き出し穴１１からリード線４を引き出しイヤホンケース２内部のリブ１０に固定し、それぞれイヤホンとマイクの位置（距離）を調整した図である。
【００４２】
図７（ａ）は、本発明の第３実施形態のイヤホンマイクの側面図であり、リード線引き出し穴１１とリード線接続穴１２の間に、リブ１３をイヤホンケース２外部に設けリード線を引き出す際、リード線をつまみ易くした図である。
【００４３】
図７（ｂ）、図７（ｃ）は、リード線４をイヤホンケース２内部のリブ１０に固定し、それぞれイヤホンとマイクの位置（距離）を調整した図である。
【００４４】
図８（ａ） は、本発明の第４実施形態のイヤホンマイクの側面図であり、マイクケース６の周辺にリード線４を収める溝１４を設けることでリード線の固定を可能としている。
【００４５】
図８（ｂ）、図８（ｃ）、図８（ｄ）は、リード線４をマイクの溝１４に収めることで、それぞれイヤホン１とマイク５との位置（距離）を少し、中程度、大きく調整したときの図である。
【００４６】
図９（ａ）は、本発明の第５実施形態のイヤホンマイクの側面図であり、マイクケース６内部にリード線４が固定可能なリード線固定用のリブ１６を設け、前記マイクケース６内をリード線が移動できるようリード線引き出し穴１７と、引き出したリード線とマイク本体を接続するためのリード線接続穴１８を設けている。イヤホン１とマイク５の位置の微調整は、リード線引き出し穴１７からリード線を引き出すことでマイクを口元に近づけ、マイクのイヤホン側のリード線４を引っ張ることでマイクを口元から遠くして行うことができる。なお、前記リード線引き出し穴１７、前記リード線接続穴１８は図の位置に限定されず、リブ１６も、前記リード線引き出し穴１７と、イヤホンとマイクを接続するリード線が挿入されるリード線挿入穴２４の間に設けられれば、図の位置に限定されない。
【００４７】
図９（ｂ）、図９（ｃ）、図９（ｄ）は、リード線４をマイク内のリブ１６に固定し、それぞれイヤホン１とマイク５の位置（距離）を調整した図である。
【００４８】
図１０（ａ）は、本発明の第６実施形態のイヤホンマイクの側面図であり、マイクケース６外部のリード線引き出し穴１７とリード線接続穴１８の間にリブ１９を設けリード線を引き出す際、リード線をつかみ易くした図である。
【００４９】
図１０（ｂ）、図１０（ｃ）は、リード線４をマイクケース６内部のリブ１６に固定し、それぞれイヤホン１とマイク５の位置（距離）を調整した図である。
【００５０】
図１１（ａ）は、本発明の第８実施形態のイヤホンマイクの側面図であり、イヤホン１とマイク５とを接続するリード線の中間に一体成型にてリード線固定用部品２０を設けた図である。
【００５１】
図１１（ｂ）、図１１（ｃ）は、前記リード線固定用部品２０に、前期リード線４を保持させ、イヤホンとマイクとの位置（距離）を調整した図である。
【００５２】
図１２（ａ）は、本発明の第９実施形態のイヤホンマイクの側面図であり、前記リード線４にリード線の任意のポイントに取り付け可能なリード線固定用部品２１を設けた図である。
【００５３】
図１２（ｂ）、図１２（ｃ）は、前記リード線４に設けた前記リード線固定用部品２１に、前記リード線４の他のポイントを保持させ、イヤホンとマイクとの位置（距離）を調整した図である。
【００５４】
図１３（ａ）は、前記リード線固定用部品２０の断面図であり、リード線固定用の断面形状として、ａ、ｂ、ｃ、ｄ の種類がある。
【００５５】
図１３（ｂ）は、前記リード線固定用部品２１の断面図であり、リード線固定用の断面形状として、ｅ、ｆ、ｇ、ｈ、ｉ、ｊの種類がある。
【００５６】
図１４は、リード線固定用部品２１を簡素化した簡易リード線固定用部品２２の図である。前記リード線４を簡易リード線固定用部品２２の二つの切り込み部に取り付ける間隔を変えることでイヤホンとマイクとの位置（間隔）を調節することができる。
【００５７】
図１５は、２つのイヤホンと２本のリード線を備えるステレオタイプのイヤホンマイクにおいて、前記２本のリード線のうち、短いほうのリード線の長さを第１実施形態（図１５ａ、図１５ｄ）、第３実施形態（図１５ｂ）、第４実施形態（図１５ｃ）、第６実施形態（図１５ｅ）、第８実施形態（図１５ｆ）、第９実施形態（図１５ｇ）のいずれかにより、マイクの位置を調節した図である。
【００５８】
その他本発明は、上記各実施形態に限定されず、本発明の趣旨を逸脱しない範囲で種々の変更が可能である。例えば上記各実施形態を適宜組み合わせて成るイヤホンマイクも本発明に含まれるのはもちろんである。
【産業上の利用可能性】
【００５９】
本発明は、携帯電話機などに使用されるイヤホンマイクに関するものである。
【図面の簡単な説明】
【００６０】
【図１】従来のイヤホンマイク図である。
【図２】イヤホンケース外部リード線固定用リブを設けたイヤホンマイクにおいて、イヤホンとマイクの距離調整の状態の図である。
【図３】イヤホンケース外部リード線固定用リブを三対設けたイヤホンマイクにおいて、イヤホンとマイクの距離調整の状態の図である。
【図４】マイクケース外部リード線固定用リブを設けたイヤホンマイクにおいて、イヤホンとマイクの距離調整の状態の図である。
【図５】マイクケース外部リード線固定用リブを三対設けたイヤホンマイクにおいて、イヤホンとマイクの距離調整の状態の図である。
【図６】イヤホンケース内部リード線固定用リブを設けたイヤホンマイクにてイヤホンとマイクの距離調整の状態の図である。
【図７】図６にイヤホンケース外部のリード線を掴むためのリブを設けた図である。
【図８】マイクケース部にリード線収納用の溝を設けたイヤホンマイクにおいて、イヤホンとマイクの距離調整の状態の図である。
【図９】マイクケース内部リード線固定用リブを設けたイヤホンマイクにおいて、イヤホンとマイクの距離調整の状態の図である。
【図１０】図９にイヤホンケース外部のリード線を掴むためのリブを設けた図である。
【図１１】リード線固定用部品をイヤホンとマイクを接続するリード線のイヤホンとマイクの中間に取り付けたイヤホンマイクにて、イヤホンとマイクの距離調整の状態の図である。
【図１２】リード線固定用部品をイヤホンとマイクを接続するリード線のイヤホンの近くに取り付けたイヤホンマイクにて、イヤホンとマイクの距離調整の状態の図である。
【図１３】リード線への固定タイプと取り外し可能なリード線固定用部品の図である。
【図１４】簡易タイプの取り外し可能なリード線固定用部品の図である。
【図１５】ステレオイヤホンマイクにおいて、イヤホンとマイクの距離調整の状態の図である。
【符号の説明】
【００６１】
１    イヤホン
２    イヤホンケース
３    イヤホンスピーカ部
４    リード線
５    マイク
６    マイクケース
７    マイク孔
８    イヤホンマイク
９    リード線固定用リブ（イヤホンケース外部）
１０  リード線固定用リブ（イヤホンケース内部）
１１  リード線引き出し穴（イヤホンケース）
１２  リード線接続穴（イヤホンケース）
１３  リード線を掴むためのリブ（イヤホンケース外部）
１４  リード線収納用の溝（マイクケース内部）
１５  リード線固定用リブ（マイクケース外部）
１６  リード線固定用リブ（マイクケース内部）
１７  リード線引き出し穴（マイクケース）
１８  リード線接続穴（マイクケース）
１９  リード線を掴むためのリブ（マイクケース外部）
２０  一体成型用のリード線固定用部品
２１  一体成型でない付け外し可能なリード線固定用部品
２２  簡易リード線固定用部品
２３  リード線挿入穴  （イヤホンケース）
２４  リード線挿入穴（マイクケース）
【図１】
2007143033.tif 000003
【図２】
2007143033.tif 000004
【図３】
2007143033.tif 000005
【図４】
2007143033.tif 000006
【図５】
2007143033.tif 000007
【図６】
2007143033.tif 000008
【図７】
2007143033.tif 000009
【図８】
2007143033.tif 000010
【図９】
2007143033.tif 000011
【図１０】
2007143033.tif 000012
【図１１】
2007143033.tif 000013
【図１２】
2007143033.tif 000014
【図１３】
2007143033.tif 000015
【図１４】
2007143033.tif 000016
【図１５】
2007143033.tif 000017